(57)【要約】  本発明は、開口部を有する容器本体と、前記開口部を塞ぐと共に前記容器本体に係止するキャップとを備え、前記キャップを、前記容器本体に被せて容器本体方向に押圧することにより、両者を係止する容器であって、前記キャップは、キャップ係止部を有するキャップ本体と、前記キャップ本体を覆い、前記キャップ本体に対して上下方向の変位及び回転が可能となるように前記キャップ本体に保持されたカバーキャップと、前記カバーキャップを上向きに付勢する付勢部とを有し、前記キャップ本体は、前記付勢部の付勢力に抗してカバーキャップを下向きに押圧した状態において、前記カバーキャップに回転力が付与されると前記カバーキャップに連動して変位し、前記キャップ本体と前記容器本体との係止が解除される一方、下向きに押圧しない状態において、前記カバーキャップに回転力が付与されても前記カバーキャップの回転に連動せず、前記キャップ本体と前記容器本体との係止が解除されない容器である。
2017183213.tif 000002
【特許請求の範囲】
【請求項１】
開口部を有する容器本体と、
前記開口部を塞ぐと共に前記容器本体に係止するキャップとを備え、
前記キャップを、前記容器本体に被せて前記容器本体方向に押圧することにより、両者を係止する容器であって、
前記キャップは、前記キャップを前記容器本体に係止するキャップ係止部を有するキャップ本体と、前記キャップ本体を覆い、前記キャップ本体に対して上下方向の変位及び回転が可能となるように前記キャップ本体に保持されたカバーキャップと、前記カバーキャップを上向きに付勢する付勢部とを有し、
前記キャップ本体は、前記付勢部の付勢力に抗して前記カバーキャップを下向きに押圧した状態において、前記カバーキャップに回転力が付与されると前記カバーキャップに連動して変位し、前記キャップ本体と前記容器本体との係止が解除される一方、前記付勢部の付勢力に抗して前記カバーキャップを下向きに押圧しない状態において、前記カバーキャップに回転力が付与されても前記カバーキャップの回転に連動せず、前記キャップ本体と前記容器本体との係止が解除されない容器。
【請求項２】
前記カバーキャップは、前記付勢部の付勢力に抗してカバーキャップを下向きに押圧した状態において、前記キャップ本体の外側面に対向する内側面を有し、前記回転に伴って前記内側面が前記外側面に当接して押圧することにより、前記キャップ本体を前記カバーキャップに連動させる請求項１に記載の容器。
【請求項３】
前記キャップ本体はベース部を有し、前記ベース部に対して前記カバーキャップが外嵌し、前記外嵌によって前記カバーキャップの回転に対して前記キャップ本体を連動させる請求項１〜２のいずれかに記載の容器。
【請求項４】
前記容器本体は、前記付勢部の付勢力に抗してカバーキャップを下向きに押圧した状態において、前記カバーキャップに回転力が付与されると前記カバーキャップに連動する前記キャップ本体に当接して前記キャップ本体を変位させる案内部を有し、
前記キャップ本体が前記案内部に乗り上げることによって変位し、前記キャップ本体と先期容器本体との係止が解除される請求項１〜３のいずれかに記載の容器。
【請求項５】
前記容器本体は、前記キャップ本体に対して当接する規制部を有し、
前記付勢部の付勢力に抗してカバーキャップを下向きに押圧した状態において、前記キャップ本体に回転力が付与されたとき、前記カバーキャップに対して第一の回転方向に回転力が付与されると前記カバーキャップに連動して変位し、前記キャップ本体と前記容器本体との係止が解除される一方、前記キャップ本体に前記第一の回転方向とは逆方向の回転力が付与されたとき、前記キャップ本体が前記規制部に当接して変位せず、前記キャップ本体と前記容器本体との係止が解除されない請求項１〜４のいずれかに記載の容器。
【請求項６】
前記キャップ本体及び前記カバーキャップは、
前記回転方向において一方が他方に当接し、前記カバーキャップの回転方向における前記カバーキャップの位置決めを行う位置決め部を有し、
前記キャップ本体に対する前記カバーキャップの回転に伴い、前記キャップ本体及び前記カバーキャップの一方が他方に当接した後、少なくとも一方の弾性変形によって位置決めが解除される請求項１〜５のいずれかに記載の容器。
【請求項７】
前記キャップ本体及び前記カバーキャップは、
前記付勢部の付勢力に抗して前記カバーキャップを下向きに押圧しない状態において、前記回転方向において一方が他方に当接し、前記カバーキャップの回転方向における前記カバーキャップの位置決めを行う位置決め部を有し、
前記キャップ本体に対する前記カバーキャップの回転に伴い、前記キャップ本体及び前記カバーキャップの一方が他方に当接した後、前記カバーキャップが前記キャップ本体に乗り上げて位置決めが解除される請求項１〜６のいずれかに記載の容器。
【請求項８】
前記カバーキャップは、その内側上部に天井面を有し、
前記キャップ本体は、前記天井面に対向する上端面を有し、
前記付勢部は、前記上端面又は前記天井面に一体に形成されて前記上端面と前記天井面との間に上下方向に圧縮された状態で介在する弾性撓み片である、請求項１〜７のいずれかに記載の容器。
【請求項９】
前記容器本体は、筒状口頸部と、ノズル口とを有し、
前記キャップ本体は、前記ノズル口に挿入されて前記ノズル口を塞ぐ栓部を備えている、請求項１〜８のいずれかに記載の容器。
【請求項１０】
前記容器本体および前記キャップは、偏平な断面略長方形又は楕円形である、請求項１〜９のいずれかに記載の容器。
【発明の詳細な説明】
【技術分野】
【０００１】
本発明は、点眼薬、内服薬、点鼻薬、コンタクトレンズの洗浄液等を収容するための容器、より詳しくはチャイルドレジスタンス機能を有した容器に関するものである。
【背景技術】
【０００２】
従来、ノズルを備えた容器本体と、この容器本体に着脱可能に装着されるキャップとを備え、キャップを外してノズル先端を下向きにして薬液を滴下させる、点眼薬等の容器が公知である。特に、特許文献１に記載されるような、いわゆるツイストキャップ式容器は、従来のねじキャップ式容器に比べてキャップの脱着を速やかに行えるものである。すなわち、キャップ内周面に係止アームが設けられる一方、容器本体に係止突起が設けられ、キャップをノズルに沿って容器本体に押圧すると係止アームが係止突起に係合してキャップが容器本体に係止（装着）される。そして、容器本体に対してキャップがひねられると、容器本体のショルダ部（液体の収容部分とノズルを保持する筒状口頸部との境目の部分）にキャップが乗り上げて係止アームと容器本体との係合状態が解除され、これにより、キャップが容器本体から取り外される。【０００３】
近年、薬品等の各種容器については、子供（幼児）による誤使用を防止するために、チャイルドレジスタンス機能を設けることが推奨、又は義務づけられている。チャイルドレジスタンス機能とは、周知の通り、子供が簡単に使用できないようにする機能である。上述した通り、ツイストキャップ式容器は、キャップの脱着を速やかに行えるため便利であるが、その点は、子供にとっても同じであり、そのためチャイルドレジスタンス機能の必要性が高い。従って、ツイストキャップ式容器については、着脱容易性を大きく損なうことなく、子供が簡単に操作できないように、チャイルドレジスタンス機能を組み込むことが求められる。
【先行技術文献】
【特許文献】
【０００４】
【特許文献１】特許第５３１４３１８号公報
【発明の概要】
【０００５】
本発明は、チャイルドレジスタンス機能を備えたツイストキャップ式の容器を提供することを目的としている。
【０００６】
そして、本発明の容器は、開口部を有する容器本体と、前記開口部を塞ぐと共に前記容器本体に係止するキャップとを備え、前記キャップを、前記容器本体に被せて容器本体方向に押圧することにより、両者を係止する容器であって、前記キャップは、前記キャップを容器本体に係止するキャップ係止部を有するキャップ本体と、当該キャップ本体を覆い、当該キャップ本体に対して上下方向の変位及び回転が可能となるように当該キャップ本体に保持されたカバーキャップと、前記カバーキャップを上向きに付勢する付勢部とを有し、前記キャップ本体は、前記付勢部の付勢力に抗してカバーキャップを下向きに押圧した状態において、前記カバーキャップに回転力が付与されると前記カバーキャップに連動して変位し、前記キャップ本体と当該容器本体との係止が解除される一方、前記付勢部の付勢力に抗して前記カバーキャップを下向きに押圧しない状態において、前記カバーキャップに回転力が付与されても前記カバーキャップの回転に連動せず、前記キャップ本体と当該容器本体との係止が解除されないものである。
【図面の簡単な説明】
【０００７】
【図１】本発明の実施形態にかかる容器（点眼薬容器）の斜視図である。
【図２】上記点眼薬容器の分解斜視図である。
【図３】キャップ装着状態の上記点眼薬容器の要部断面図である。
【図４】キャップ非装着状態の上記点眼薬容器の要部断面図である。
【図５】キャップの分解断面図である。
【図６】カバーキャップを下降端位置に押圧した状態の上記点眼薬容器の要部断面図である。
【図７】（Ａ）は、容器本体の正面図であり、（Ｂ）は、同容器本体の側面図である。
【図８】キャップ本体の下面図（図５のＶＩＩＩ方向から見た図）である。
【図９】上記カバーキャップの下面図（図５のＩＸ方向から見た図）である。
【図１０】上記点眼薬容器の断面図（図３のＸ−Ｘ線断面図）である。
【図１１】上記点眼薬容器のキャップ取り外し操作方法の説明図である。
【図１２】（Ａ）は、変形例にかかる容器本体の正面図であり、（Ｂ）は、同容器本体の側面図である。
【図１３】変形例にかかる点眼薬容器の要部断面図である。
【図１４】変形例にかかる点眼薬容器の要部断面図である。
【発明を実施するための形態】
【０００８】
以下、添付図面を参照しながら本発明の好ましい実施の一形態について詳述する。
【０００９】
［全体構成］
図１は、本発明にかかる容器の一例である点眼薬容器の斜視図であり、図２は、点眼薬容器の分解斜視図である。また、図３は、キャップ装着状態の上記点眼薬容器の要部断面図であり、図４は、キャップ非装着状態の上記点眼薬容器の要部断面図である。
【００１０】
図１〜図４に示すように、点眼薬容器１は、容器本体２と、この容器本体２に着脱可能に装着されたキャップ３とを備えている。この点眼薬容器１は、いわゆるツイストキャップ式の容器であり、全体が断面略長方形の偏平な形状を有している。
【００１１】
前記容器本体２は、図２及び図７（Ａ）、（Ｂ）に示すように、上端にショルダ部１２を有する薬液収容部１０と、ショルダ部１２の中央に立設された断面円形の筒状口頸部１４と、この筒状口頸部１４に挿着（嵌入）されたノズル１５とを備えている。ノズル１５は、その先端部を筒状口頸部１４から外側に突出させた状態で当該筒状口頸部１４に装着されており、先端にノズル口１５ａを備えている。筒状口頸部１４およびノズル１５により、点眼薬を滴下するための筒状抽出部１１が構成されている。つまり、容器本体２は、先端に開口部（ノズル口１５ａ）を有した上下方向に延びる筒状抽出部１１とその下端に繋がるショルダ部１２とを備えている。
【００１２】
容器本体２のうち、薬液収容部１０及び筒状口頸部１４は、透明又は半透明の同一樹脂材料により一体に成型されている。その材料としては、好適には、例えばポリエチレンテレフタレート、ポリプロピレン、ポリカーボネート等の透明合成樹脂が適用されている。一方、ノズル１５は、例えば、ポリエチレン、ポリプロピレン等の軟性合成樹脂により形成されている。
【００１３】
薬液収容部１０は、図２及び図７（Ａ）、（Ｂ）に示すように、偏平な略直方体状であり、ショルダ部１２は、上向きに突出する突出部１３（本発明の「案内部」に相当する）を備えている。突出部１３は、ショルダ部１２の上面に段差を形成しつつ、前記筒状口頸部１４に向かって斜め上向きに傾斜面を有している。
【００１４】
前記筒状口頸部１４は、その軸方向の途中部分にリング状の係止突起１４ａを備えている。係止突起１４ａは、キャップ３を係止するものであり、筒状口頸部１４の外周面に、その全周に亘って形成されている。
【００１５】
前記キャップ３は、開口部を塞ぐと共に容器本体２に係止するものである。具体的には、ノズル口１５ａ、すなわち、筒状抽出部１１の先端の開口部を塞ぐキャップ本体４と、このキャップ本体４に保持されて当該キャップ本体４を外側から覆うカバーキャップ５とを備えている。キャップ３は、容器本体２に被せて容器本体方向に押圧することにより、容器本体２に係止される。具体的には、容器本体２の筒状抽出部１１を挿入しながら容器本体２の上部にキャップ３を被せ、キャップ３を容器本体２に対して押し付けて係止される。
【００１６】
図２〜図５に示すように、キャップ本体４は、内側面及び外側面で構成される壁部に囲われ、容器本体の上側部分を内側に収容する収容空間を有する。キャップ本体４は、筒状抽出部１１を包囲してノズル口１５ａを塞ぐ円筒状のフード部２０と、このフード部２０の下端から外向きに延びる軸方向視略長方形のベース部２４とを備えている。フード部２０及びベース部２４は、同一の樹脂材料により一体に成型されており、例えば、好適には、ポリプロピレン、ポリエチレン等の弾性変形可能な樹脂材料で一体に成型されている。
【００１７】
フード部２０は、ノズル１５の先端部分（筒状口頸部１４から突出した部分）を主に包囲する小径部２２と、この小径部２２よりも径が大きく、筒状口頸部１４を主に包囲する大径部２３とを上から順番に備えている。フード部２０は、その内側上部に天井面２２ｂを有しており、この天井面２２ｂには、栓部２６が下向きに突設されている。この栓部２６は、ノズル口１５ａに液密状態で挿入されており、これにより、ノズル口１５ａがキャップ本体４により塞がれている。
【００１８】
フード部２０は、その内側に、前記大径部２３の内側上面部から筒状口頸部１４の上記基端部１４ｂの上面付近まで垂下している一対のアーム状のキャップ係止片２８（本発明「キャップ係止部」に相当する）を備えている。各キャップ係止片２８は、各々、容器本体２の上記筒状口頸部１４を挟んで互いに対向している。各キャップ係止片２８は、上記筒状口頸部１４の外周面に沿った対向面を有する断面円弧状である。各キャップ係止片２８の対向面は、上下方向に延びており、各々、筒状口頸部１４の外周面に当接している。各キャップ係止片２８の先端部には、各々、フック２８ａが形成されており、当該フック２８ａが、上記筒状口頸部２８の係止突起１４ａに係合している。これにより、キャップ本体４が容器本体２に係止されている。つまり、両キャップ係止片２８の間に筒状抽出部１１（筒状口頸部１４）が介在するようにキャップ本体４が容器本体２の上部に配置され、かつ、各キャップ係止片２８のフック２８ａが上記係止突起１４ａに係止されることで、キャップ本体４が容器本体２に係止されている。
【００１９】
なお、図５及び図８に示すように、フード部２０の上記大径部２３の内周面２３ａと各キャップ係止片２８との間の隙間には、各々、キャップ係止片２８の弾性変位を許容するための隙間、すなわち、フック２８ａが係止突起１４ａに係合する際及び当該係合が解除される際に、各キャップ係止片２８が離反する方向へ弾性的に撓み変位することを許容する隙間が形成されている。但し、キャップ係止片２８の幅方向（図８の上下方向）両端および中央と、上記大径部２３の内周面２３ａとの間には、これらを連結する上下方向に延びた板状のリブ２９が設けられている。これにより、上記撓み変位が規制され、キャップ係止片２８と係止突起１４ａとが比較的強固に係合している。
【００２０】
ベース部２４は、カバーキャップ５の側壁５０ｂに対して内外方向に対向する一対の壁部と、前記一対の壁部に連続して設けられると共に前記一対の壁部に対して相対的に低い高さを有する一対の壁部とで構成された周壁部２５ａと、周壁部２５ａの上方に連続して設けられた上壁部２５ｂとを有する。具体的には、ショルダ部１２の上記突出部１３の輪郭に沿った形状の周壁部２５ａ（周壁部２５ａの外側面は、本発明の「キャップ本体の外側面に対向する内側面」にいう「キャップ本体の外側面」に相当する。また、周壁部２５ａの外側面は、本発明の「被押圧部」ということもある。また、カバーキャップの側壁５０ｂに対して内外方向に対向する一対の壁部における各周壁部２５ａの各外側面は、一方を本発明の「第一被押圧部」、他方を「第二被押圧部」ということがある。）と、これら周壁部２５ａに繋がる上壁部２５ｂとを有している。周壁部２５ａは、上記突出部１３の側面に当接（外嵌）している。
【００２１】
なお、図２及び図７（Ａ）、（Ｂ）に示すように、突出部１３は、カバーキャップ５の回転方向に沿って当接を開始する部分と、該部分に連続的に形成され、該部分よりも上下方向位置が上位となる上位部分を有する。具体的には、突出部１３は、カバーキャップ５の回転方向に沿って上下方向位置（高さ）が漸増する部分を有する。より具体的には、図２及び図７（Ａ）、（Ｂ）に示すように、突出部１３は、筒状口頸部１４を中心とする反時計回り（上面視で反時計回り：以下同じ）において、その一方側から他方側に向かって高さが漸増するように形成されている。図７（Ａ）に基づくと、突出部１３のうち、筒状口頸部１４より左側の部分（本発明の「第一案内部」ということがある。）では、紙面奥側から手前側に向かって高さが漸増し、筒状口頸部１４より右側の部分（本発明の「第二案内部」ということがある。）では、紙面手前側から奥側に向かって高さが漸増している。換言すれば、突出部１３のうち、筒状口頸部１４より左側の部分の上面は、紙面奥側から手前側に向かって高さが漸増する傾斜面とされ、筒状口頸部１４より右側の部分の上面は、紙面手前側から奥側に向かって高さが漸増する傾斜面とされている。これにより、突出部１３のうち、筒状口頸部１４より左側の部分では紙面手前側に、筒状口頸部１４より右側の部分では紙面奥側に、各々、ベース部２４の上記周壁部２５ａと当接してキャップ本体４の回転を阻止する規制面１３ａ（本発明の「規制部」に相当する）が形成されている。つまり、突出部１３は、キャップ本体４に反時計回り（図２の矢印Ｄ１方向／本発明の「第１方向」に相当する）の回転力が与えられたときには、比較的容易にベース部２４が突出部１３に乗り上げることを許容する一方、キャップ本体４に時計回り（図２の矢印Ｄ２方向／本発明の「第２方向」に相当する）の回転力が与えられたときには、上記規制面１３ａによってベース部２４の回転を阻止し、これによりベース部２４が突出部１３に乗り上げることを規制するように形成されている。
【００２２】
上記カバーキャップ５は、キャップ本体の外側に配置される。カバーキャップ５は、内側面及び外側面で構成される壁部に囲われ、キャップ本体の上側部分を内側に収容する収容空間を有する。カバーキャップ５は、図２〜図５に示すように、キャップ本体４を間に介して水平方向に対向する一対の側壁５０ｂと、天井壁５０ａとで構成され、一対の側壁５０ｂは各々内側面及び外側面で有する。より具体的には、図２〜図５に示すように、カバーキャップ５は、山型をなす天井壁５０ａ及びその両側の側壁５０ｂ（側壁５０ｂの内側面は、本発明の「キャップ本体の外側面と対向する内側面」に相当する。また、側壁５０ｂの内側面は、本発明の「押圧部」ということがある。また、キャップ本体４を介して対向する一対の側壁５０ｂのうち、一方を本発明の「第一押圧部」、他方を本発明の「第二押圧部」ということがある。）を備えたカバーキャップ本体５０と、天井壁５０ａの下面（天井面５１）から各々垂下する、円筒状のインナ係止片５２、各々の側壁５０ｂに繋がるアウタ係止片５４を備えており、容器本体２と同様に偏平な形状を有している。
【００２３】
カバーキャップ５は、その全体がキャップ本体４と同等の樹脂材料で一体に成型されている。すなわち、カバーキャップ本体５０、インナ係止片５２及びアウタ係止片５４は、上記樹脂材料により一体に成型されている。
【００２４】
図５及び図９に示すように、インナ係止片５２は、天井面５１の中央に位置し、アウタ係止片５４は、インナ係止片５２を中心としてその径方向外側に位置している。
【００２５】
インナ係止片５２は、図４に示すように、上記フード部２０の小径部２２に対して、当該小径部２２を中心とする回転が可能でかつ上下方向への変位が可能となるように外嵌されている。すなわち、インナ係止片５２は、フード部２０の小径部２２の外周面に摺接可能な内径を有している。
【００２６】
インナ係止片５２の先端（下端）よりやや上側の内周面には、全周に亘ってリング状の凹部５２ｂが形成されている。これにより、インナ係止片５２の先端に、その全周に亘ってリング状のフック部５２ａが形成されている。当該フック部５２ａは、上記小径部２２の外周面に形成されたリング状の係止突起３２に係合しており、これにより、カバーキャップ５がキャップ本体４に係止（保持）されている。
【００２７】
インナ係止片５２の前記凹部５２ｂは、一定の範囲内で上記係止突起３２が相対的上下方向に変位すること、つまり、キャップ本体４に対してカバーキャップ５が上下方向に変位することを許容する幅寸法（上下方向の幅寸法）を有している。具体的には、当該凹部５２ｂは、図４に示すように、カバーキャップ５（カバーキャップ本体５０）の下端部がキャップ本体４の上記ベース部２４よりも上側に位置する上昇端位置Ｐ１と、カバーキャップ５の下端部がキャップ本体４の上記ベース部２４に外嵌する（被る）下降端位置Ｐ２（図６参照）とに亘って、カバーキャップ５が上下方向に変位することを許容する幅寸法を有している。
【００２８】
なお、上記の通り、フック部５２ａは円筒状のインナ係止片５２の内周面に亘って形成され、係止突起３２は小径部２２の全周に亘って形成されている。そのため、カバーキャップ５のフック部５２ａとキャップ本体４の係止突起３２との係止は、例えばインナ係止片５２の内側にフード部２０の上端が挿入され、この状態でカバーキャップ５とキャップ本体４とに上下方向の相当に強い外力が付与されることによって達成されている。従って、上記フック部５２ａと上記係止突起３２との係合状態は人的外力によって解除することが難しい程度に強固なものとなっている。つまり、カバーキャップ５は、人的にはほぼ分離することが不能となるようにキャップ本体４に保持されている。
【００２９】
上記キャップ本体４のフード部２０は、その上端面２２ａから上向きに延びる一対の弾性撓み片３０（本発明の付勢部に相当する）を有している。これら一対の弾性撓み片３０は、上端面２２ａの中心軸回りに上面視反時計回りに旋回しながら上方に延びる螺旋状に形成されている。これら弾性撓み片３０は、図３に示すように、フード部２０の上端面２２ａとカバーキャップ５（カバーキャップ本体５０）の天井面５１との間に上下方向に圧縮された状態で介在している。これにより、キャップ本体４に対してカバーキャップ５が、弾性撓み片３０の弾発力により上向きに、すなわち、上昇端位置Ｐ１に向かって付勢されている。
【００３０】
上記アウタ係止片５４は、図９に示すように、上記側壁５０ｂに各々繋がっており、その内周面は、上記インナ係止片５２の同心円形状を有しており、アウタ係止片５４は、図４に示すように、上記フード部２０の大径部２３に対して、当該大径部２３を中心とする回転が可能でかつ上下方向への変位が可能となるように外嵌されている。すなわち、アウタ係止片５４は、フード部２０の大径部２３の外周面に摺接可能な内径を有している。
【００３１】
図３〜図５に示すように、アウタ係止片５４の先端（下端）よりやや上側の内周面には、その幅方向（図９の上下方向）に亘って凹部５４ｂが形成されている。これにより、アウタ係止片５４の先端にフック部５４ａが形成されている。当該フック部５４ａは、上記フード部２０の大径部２３の外周面に形成されたリング状の係止突起３６に係合している。
【００３２】
これらフック部５４ａおよび係止突起３６は、互いに係合することにより、カバーキャップ５を、上昇端位置Ｐ１と下降端位置Ｐ２との間の仮係合位置Ｐ０に係止（保持）するものである。図４に示すように、仮係合位置Ｐ０は、下降端位置Ｐ２のときよりも、カバーキャップ５がキャップ本体４の上記ベース部２４に対して浅く外嵌する位置である。つまり、カバーキャップ５は、上記の通り、各弾性撓み片３０の弾発力により上昇端位置Ｐ１に向かって付勢されながらも、上記フック部５４ａが係止突起３６に係合することで、上昇端位置Ｐ１よりも下方の上記仮係合位置Ｐ０に保持されている。これにより、カバーキャップ５が、その回転方向においてキャップ本体４に対して位置決めされている。具体的には、カバーキャップ５の側面と薬液収容部１０の側面とがほぼ連続する位置（図１参照）に位置決めされている。当例では、カバーキャップ５の下端部と、カバーキャップ５の下端部が浅く外嵌するキャップ本体４のベース部２４とが、本発明の「位置決め部」に相当する。
【００３３】
アウタ係止片５４の凹部５４ｂは、一定の範囲内で上記係止突起３６が相対的上下方向に変位すること、つまり、カバーキャップ５が仮係合位置Ｐ０と下降端位置Ｐ２とに亘って変位することを許容する幅寸法を有している。なお、カバーキャップ５が上昇端位置Ｐ１に配置されるときには、係止突起３６にフック部５４ａが僅かに乗り上げてアウタ係止片５４が弾性変形し（図４参照）、これにより、カバーキャップ５が上記仮係合位置Ｐ０に向かって付勢されるようになっている。
【００３４】
キャップ本体４の上記フード部２０の大径部２３には、図２〜図５に示すように一対のレール部３４が形成されている。これらレール部３４は、前記大径部２３の上端面から上方に真っ直ぐに延びる突出片であり、ベース部２４の長手方向と平行な方向における上記小径部２２の両側に配置されている。一方、カバーキャップ５のアウタ係止片５４の内周面には、図９及び図１０に示すように、レール部３４を両側から挟んで上下方向にガイドする一対のガイドリブ５４ｃが形成されている。これにより、カバーキャップ５が、その回転方向においてキャップ本体４に対して位置決めされる、具体的には、カバーキャップ５の側面と薬液収容部１０の側面とが、ほぼ連続する位置（図１参照）に位置決めされるとともに、カバーキャップ５が、キャップ本体４に対して、安定的に上昇端位置Ｐ１と下降端位置Ｐ２とに亘って上下方向に変位し得るようになっている。当例では、レール部３４及びガイドリブ５４ｃは、本発明の「位置決め部」に相当する。つまり、カバーキャップ５の回転方向の位置決め構造に関して、当例では、レール部３４及びガイドリブ５４ｃによる位置決めと、ベース部２４に対してカバーキャップ５が外嵌することによる位置決めの二重構造が採用されている。当例では、これらが、それぞれ、本発明の「位置決め部」に相当する。
【００３５】
なお、前記一対のガイドリブ５４ｃは、カバーキャップ５に一定値以上の回転操作力が付与されると、カバーキャップ５の回転を許容する、すなわち、ガイドリブ５４ｃが上記レール部３４を乗り越えることができる程度に、アウタ係止片５４の内周面からのガイドリブ５４ｃの突出寸法が設定されている。
【００３６】
［作用効果等］
図１１を用いて、上記点眼薬容器１の使用方法について説明する。
【００３７】
図１１の（ａ）は、キャップ３が装着された状態、つまり、非使用時の点眼薬容器１の状態であり、図１及び図３の状態である。
【００３８】
点眼時には、容器本体２とキャップ３（カバーキャップ５）を把持し、キャップ３を筒状抽出部１１回りに３０〜５０°程度回転させることにより、キャップ３を容器本体２から取り外す。この場合、弾性撓み片３０の付勢力に抗して下向きに押圧していない状態のカバーキャップ５は、上記仮係合位置Ｐ０、すなわち、上記の通りカバーキャップ５がキャップ本体５のベース部２４に対して浅く嵌合した位置に保持されているので、カバーキャップ５に単に回転力を与えただけの場合には、カバーキャップ５がキャップ本体４のベース部２４に乗り上げ、上昇端位置Ｐ１に変位しながらキャップ本体４に対して回転することとなる。つまり、この場合には、図１１の（ｂ）に示すように、キャップ本体４に対してカバーキャップ５が空回りするだけで、容器本体２からキャップ３が外れることはない。
【００３９】
なお、図１１の（ａ）の状態では、カバーキャップ５の一対のガイドリブ５４ｃの間にキャップ本体４（フード部２０）のレール部３４が介在しているが、カバーキャップ５に回転力が付与されることにより、ガイドリブ５４ｃが上記レール部３４を乗り越え、これによりカバーキャップ５がキャップ本体４に対して回転することとなる。
【００４０】
一方、図１１の（ｃ）、（ｄ）中の丸付き数字１，２に示すように、まず、図１１の（ａ）に示す状態から、弾性撓み片３０の付勢力に抗して下向きに押圧した状態、具体的には、カバーキャップ５を弾性撓み片３０の付勢力に抗して押圧して下降端位置Ｐ２に押し下げ、この状態でカバーキャップ５を回転させると、カバーキャップ５と共にキャップ本体４が回転し、これにより容器本体２からキャップ３が取り外される。
【００４１】
詳細に説明すると、カバーキャップ５を仮係合位置Ｐ０から下降端位置Ｐ２に押し下げると、図６に示すように、カバーキャップ５（カバーキャップ本体５０）がキャップ本体４のベース部２４に外嵌する。そのため、この状態でカバーキャップ５を反時計回り（図２の矢印Ｄ１の方向）に回転させると、カバーキャップ５の下端部の移動軌道上にキャップ本体４のベース部２４が位置することから、カバーキャップ５がキャップ本体４を押圧し（より詳細にいえば、カバーキャップ５における一対の側壁５０ｂの各下端部が、前記下端部に内外方向に各々対向して当接するキャップ本体４における一対の壁部を押圧し）、カバーキャップ５とキャップ本体４とが連動して一体に反時計回りに回転し、この回転に伴いベース部２４が容器本体２の突出部１３に乗り上げることとなる（より詳細にいえば、ベース部２４のうちフード部２０を介して対向配置される一方の部分と、他方のベース部分とが、各々が当接する突出部１３に乗り上げることになる。）。そして、この乗り上げによりキャップ本体４が上方に変位することで、キャップ本体４のキャップ係止片２８と容器本体２の係止突起１４ａとの係合状態が解除され、その結果、キャップ３が容器本体２から取り外される。
【００４２】
キャップ３の取り外し後は、一般的な点眼薬容器と同様に、容器本体２を上下逆さまに保持し、薬液収容部１０を軽く圧迫してノズル先端から点眼薬を滴下する。
【００４３】
そして、点眼薬の使用後は、キャップ本体４のフード部２０の内側に容器本体２の筒状抽出部１１を挿入しながら容器本体２の上部にキャップ３を被せ、キャップ３を容器本体２に対して軽く押し付ける。このようにすると、キャップ本体４のキャップ係止片２８が筒状抽出部１１の係止突起１４ａに係合し、これにより、容器本体２にキャップ３が係止され、元の通り、容器本体２にキャップ３が装着された状態となる。
【００４４】
このように、上記点眼薬容器１によれば、容器本体２とキャップ３（カバーキャップ５）とを把持してキャップ３に回転力を付与するだけでは、キャップ本体４に対してカバーキャップ５が空回りするだけで、キャップ３を取り外すことができない。従って、子供（幼児）が点眼薬容器１を手にしてキャップ３を取り外すことを防止することが可能となる。特に、上記点眼薬容器１によれば、キャップ本体４のキャップ係止片２８とフード部２０（大径部２３）の内周面とが複数のリブ２９を介して連結されていることで、キャップ係止片２８の撓み変位が規制される。つまり、キャップ３と容器本体２とを把持してこれらを互いに離反する方向に引っ張るだけでは、キャップ本体４のキャップ係止片２８と容器本体２の係止突起１４ａとの係合状態を解除することが難しい構造となっている。そのため、この点でも、子供（幼児）がキャップ３を取り外すことを防止することが可能となる。
【００４５】
その一方で、図１１の（ｂ）、（ｃ）の丸付き数字１、２に示すように、カバーキャップ５を下降端位置Ｐ２に押し下げ、この状態でカバーキャップ５を回転させれば、突出部１３へのベース部２４の乗り上げによって比較的簡単にキャップ係止片２８と係止突起１４ａとの係合状態が解除される。そのため、キャップ３を容器本体２から取り外すことができる。このような操作は、その方法を知ってさえいれば、高齢者であっても容易に行うことができる。しかも、カバーキャップ５の押し下げ操作を除けば、容器本体２に対するキャップ３の着脱操作は、一般的なツイストキャップ式の点眼薬容器と同等である。従って、上記点眼薬容器１によれば、ツイストキャップ式の点眼薬容器において、キャップ３の着脱容易性を大きく損なうことなく、チャイルドレジスタンス機能を達成することができるという利点がある。
【００４６】
また、上記点眼薬容器１によれば、キャップ本体４は、反時計回り（図２中の矢印Ｄ１方向）に回転する場合にのみ、突出部１３へのベース部２４の乗り上げが許容され、時計回り（図２中の矢印Ｄ２方向）に回転する場合には、規制面１３ａによってベース部２４の回転が阻止されることで、突出部１３へのベース部２４の乗り上げが規制される。つまり、キャップ３は、反時計回りに回転させた場合のみ取り外しが可能となる。
【００４７】
従って、点眼薬容器１によれば、より高度なチャイルドレジスタンス機能が達成されるという点がある。すなわち、点眼薬容器１のようなツイストキャップ式偏平容器においては、例えば右利きの使用者がキャップ３を取り外す場合、人間工学的には、容器本体２を左手で、キャップ３を右手で各々把持し、偏平面が上下方向になるように容器を横にして、キャップ３を押し出す方向（つまり、時計回り／図２中の矢印Ｄ２方向）に回転させようとするのが一般的である。この点、上記点眼薬容器１は、上記の通り、キャップ３を反時計回り（図２中の矢印Ｄ２方向）に回転させた場合のみ、当該キャップ３を取り外すことが可能となる。そのため、子供（幼児）が無意識にキャップ３を回転させたような場合に、キャップ３が取り外されることを効果的に防止することが可能となる。従って、上記点眼薬容器１によれば、より高度なチャイルドレジスタンス機能が達成される。なお、ツイストキャップ式容器であっても偏平形状ではなく、例えば円筒形状などの場合は、人間工学的に、上記とは逆方向に回転させた場合のみ当該キャップ３を取り外すことが可能となるようにするのが好適である。
【００４８】
また、上記点眼薬容器１によれば、カバーキャップ５が仮係合位置Ｐ０、すなわち、カバーキャップ５がキャップ本体のベース部２４に対して浅く嵌合する位置に保持され、これにより、カバーキャップ５が、回転方向において位置決めされている。言い換えれば、弾性撓み片３０の付勢力に抗して下向きに押圧していない状態のカバーキャップ５は、カバーキャップ５の回転方向においてカバーキャップ５とキャップ本体４とが当接することにより、カバーキャップ５の回転方向におけるカバーキャップ５の位置決めがされている。具体的には、キャップ本体４に対するカバーキャップ５の回転に伴い、カバーキャップ５の側壁５０ｂの内側面がキャップ本体４におけるベース部２４の周壁部２５ａの外側面に当接して、カバーキャップ５の回転方向におけるカバーキャップ５の位置決めがされている。なお、カバーキャップ５の回転角度を大きくすると、カバーキャップ５がキャップ本体４に当接した後、カバーキャップ５がベース部２４の上面に乗り上げ、カバーキャップ５は上方に変位し、位置決めは解除される。さらに、この点眼薬容器１では、キャップ本体４（フード部２０）に一対のレール部３４が設けられる一方、各レール部３４を両側から挟んで上下方向にガイドする一対のガイドリブ５４ｃがカバーキャップ５に形成されており、これによっても、カバーキャップ５が、回転方向において位置決めされている。言い換えれば、この点眼薬容器１は、カバーキャップの回転方向においてカバーキャップ５とキャップ本体４とが当接し、前記カバーキャップの回転方向における該カバーキャップの位置決めを行う第二の位置決め部を有する。具体的には、キャップ本体４に対するカバーキャップ５の回転に伴い、カバーキャップ５のガイドリブ５４ｃがキャップ本体４のレール部３４に当接して、カバーキャップ５の回転方向におけるカバーキャップ５の位置決めがされている。なお、キャップ本体４に対する前記カバーキャップ５の回転角度を大きくすると、カバーキャップ５のガイドリブ５４ｃがレール部３４に当接した後、ガイドリブ５４ｃが外側方向に弾性変形することによって位置決めが解除される。従って、カバーキャップ５が、キャップ本体４に対して意図せぬ位置に回転して、キャップ取り外し時の操作性が損なわれたり、意匠性が損なわれることが抑制されるという利点もある。
【００４９】
［その他の変形例等］
上記点眼薬容器１は、本発明にかかる容器の好ましい実施形態の例示であって、その具体的な構成は、本発明の要旨を逸脱しない範囲で適宜変更可能である。例えば、以下のような構成を採用することもできる。
【００５０】
（１）上記容器本体２の突出部１３（ショルダ部１２）は、キャップ本体４が反時計回り（図２の矢印Ｄ１方向）に回転する場合にのみ、突出部１３へのベース部２４の乗り上げを許容し、キャップ本体４が時計回り（図２の矢印Ｄ２方向）に回転する場合には、突出部１３へのベース部２４の乗り上げが規制されるように形成されている。しかし、上記突出部１３（ショルダ部１２）は、キャップ本体４が何れの方向に回転した場合でも、ベース部２４が突出部１３に乗り上げるように構成してもよい。具体的には、図１２（Ａ）、（Ｂ）に示すように、突出部１３は、その幅方向（図１２の左右方向）において、高さが中央部で最も高く、両端で低くなるように形成されていてもよい。つまり、突出部１３において、上記規制面１３ａが省略された構成であってもよい。
【００５１】
（２）本発明において位置決め部は必須ではない。位置決め部を設ける場合であっても、例えば、図１３に示すように、上記レール部３４及び上記ガイドリブ５４ｃを省略した構成を採用してもよい。また、図１４に示すように、フック部５４ａ（凹部５４ｂ）および係止突起３６を省略した構成を採用してもよい。要するに、上記実施形態の点眼薬容器１では、キャップ本体４に対して、カバーキャップ５を回転方向に位置決めするための構成として、上述した２つの構成が採用されていたが、図１３又は図１４に示すように、いずれか一方の構成のみで、カバーキャップ５を回転方向に位置決めするようにしてもよい。
【００５２】
但し、図１３に示す構成の場合には、カバーキャップ５を仮係合位置Ｐ０に配置させることでカバーキャップ５を回転方向に対して位置決め効果を奏すると共に、アウタ係止片５４によってキャップ本体が内外方向にも安定的に位置するものであるが、上記レール部３４が無い分、カバーキャップ本体５０がキャップ本体４のフード部２０を支点として揺動し易くなり、例えば、カバーキャップ５に回転力のみを与えた場合でも、カバーキャップ５がベース部２４に部分的に嵌合し、意図せずキャップ本体４が回転する恐れがある。他方、図１４に示す構成の場合には、上記レール部３４等を備えるため、前記揺動等を防ぐことができるが、カバーキャップ５の両端よりも内側の位置でレール部３４及びガイドリブ５４ｃが位置するため、カバーキャップ５の両端に比較的小さな回転力が付与された場合でも、容易にレール部３４がガイドリブ５４ｃを乗り越え、これにより、意図せずカバーキャップ５が回転することが考えられる。従って、カバーキャップ５の位置決め性と、チャイルドレジスタンス機能の機能性の向上とを両立させるうえでは、上記実施形態のような構成を採用するのが好適である。
【００５３】
（３）上記実施形態では、本発明の「容器」の一例として点眼薬容器１について説明したが、本発明は、点眼薬容器以外の容器、例えば内服薬、点鼻薬やコンタクトレンズの洗浄液等、各種液剤を収容するための容器についても適用可能である。また、液剤以外の粉剤や錠剤を収容するための容器についても適用可能である。この場合には、ノズル１５を省略し、筒状口頸部１４の開口をキャップ本体４で塞ぐように構成すればよい。その場合、キャップ本体４の天井面２２ｂに前記開口に合致した栓部２６を設け、当該栓部２６で前記開口を塞ぐようにしてもよいし、また、この栓部２６を省略して天井面２２ｂ（又は当該天井面２２ｂに設けたシール部材等）で前記開口を直接塞ぐようにしてもよい。
【００５４】
（４）上記実施形態では、本発明が点眼薬容器に適用されていたため、「容器」の形状は、図７（Ａ）、（Ｂ）に示すような偏平なものであるが、具体的な「容器」の形状は、収容物によって適宜選定されるものであり、実施形態の形状に限らない。例えば、「容器」の形状は、円筒状などであってもよい。
【００５５】
以上説明した本発明をまとめると以下の通りである。
【００５６】
本発明に係る容器は、開口部を有する容器本体と、前記開口部を塞ぐと共に前記容器本体に係止するキャップとを備え、前記キャップを、前記容器本体に被せて容器本体方向に押圧することにより、両者を係止する容器であって、前記キャップは、前記キャップを容器本体に係止するキャップ係止部を有するキャップ本体と、当該キャップ本体を覆い、当該キャップ本体に対して上下方向の変位及び回転が可能となるように当該キャップ本体に保持されたカバーキャップと、前記カバーキャップを上向きに付勢する付勢部とを有し、前記キャップ本体は、前記付勢部の付勢力に抗してカバーキャップを下向きに押圧した状態において、前記カバーキャップに回転力が付与されると前記カバーキャップに連動して変位し、前記キャップ本体と当該容器本体との係止が解除される一方、下向きに押圧しない状態において、前記カバーキャップに回転力が付与されても前記カバーキャップの回転に連動せず、前記キャップ本体と当該容器本体との係止が解除されない容器である。
【００５７】
従って、このような構成によれば、ツイストキャップ式の容器において、キャップの着脱容易性を大きく損なうことなく、チャイルドレジスタンス機能を達成することができる。
【００５８】
上記容器において、前記付勢部の付勢力に抗してカバーキャップを下向きに押圧した状態において、前記カバーキャップの回転力を前記カバーキャップに伝達し、前記カバーキャップを連動させるには、前記カバーキャップに回転力が付与されることにより前記カバーキャップが前記キャップ本体に当接し、前記カバーキャップが前記キャップ本体を押圧する構成を採用すればよく、具体的構成は特に限定されない。例えば、前記カバーキャップは押圧部を有し、前記キャップ本体は前記押圧部が当接して押圧される被押圧部を有し、前記被押圧部は、前記カバーキャップに回転力が付与されることによって前記押圧部が移動する移動軌道上に位置する構成を採用することができる。
【００５９】
具体的には、上記容器において、前記押圧部は、前記カバーキャップの内側面であり、前記被押圧部は、前記キャップ本体の外側面であることが好ましい。すなわち、前記カバーキャップの内側面と、前記カバーキャップに回転力が付与されることによって前記内側面が移動する移動軌道上に位置し、前記カバーキャップの内側面に対向する前記キャップ本体の外側面とが当接し、前記カバーキャップの内側面が前記キャップ本体の外側面を押圧する構成が好ましい。なお、前記カバーキャップの内側面は、例えば、内側面及び外側面で構成される壁部に囲われた収容空間（キャップ本体の上側部分を収容する空間）を有するカバーキャップにおける壁部の内側面である。前記カバーキャップの内側面に対向する前記キャップ本体の外側面は、例えば、内側面及び外側面で構成される壁部に囲われた収容空間（容器本体の上側部分を収容する空間）を有するキャップ本体における前記壁部の外側面である。
【００６０】
より効果的にキャップの着脱容易性を大きく損なうことなく、チャイルドレジスタンス機能を達成するためには、上記容器において、前記カバーキャップは、前記付勢部の付勢力に抗してカバーキャップを下向きに押圧した状態において、前記キャップ本体の外側面と内外方向に対向する内側面を有し、前記回転に伴って前記内側面が前記外側面に当接して押圧することにより、前記キャップ本体を前記カバーキャップに連動させるものとするのが好適である。特に、前記カバーキャップの内側面を、カバーキャップの側壁の内側面とし、前記キャップ本体の外側面を、ベース部における周壁部の外側面とするのが好ましい。とりわけ、カバーキャップの側壁の内側面のうち下端部を、前記キャップ本体のベース部における周壁部の外側面のうち下端部に対して当接して押圧する構成が好適である。
【００６１】
また、より好ましくは、上記容器において、前記カバーキャップは、第一押圧部と、第二押圧部とを有し、前記キャップ本体は、前記第一押圧部が当接して押圧される第一被押圧部と、前記第二押圧部が当接して押圧される第二被押圧部とを有し、前記第一被押圧部及び第一被押圧部は、前記カバーキャップに回転力が付与されることによって前記第一押圧部及び第二押圧部が移動する移動軌道上に位置する構成が好ましい。
【００６２】
具体的には、上記容器において、前記カバーキャップは、前記キャップ本体を介して対向する一対の内側面を有する側壁を備え、前記対向する内側面のうち一方の内側面を前記第一押圧部とし、前記対向する内側面のうち他方の内側面を第二押圧部とし、前記キャップ本体は、前記カバーキャップの前記第一押圧部及び前記第二押圧部に各々対向する一対の外側面を有するベース部を備え、前記対向する外側面のうち一方の外側面を前記第一被押圧部とし、前記対向する外側面のうち他方の外側面を第二被押圧部とする構成である。
【００６３】
上記容器において、より効果的にキャップの着脱容易性を大きく損なうことなく、チャイルドレジスタンス機能を達成するためには、前記キャップ本体はベース部を有し、前記ベース部に対して前記カバーキャップが外嵌し、前記外嵌によってカバーキャップの回転に対して前記キャップ本体を連動させるものとするのが好適である。
【００６４】
なお、本発明の容器は、前記キャップを前記容器本体に被せて容器本体方向に押圧することにより、両者を係止する容器であればよく、具体的構成は特に限定されない。例えば、前記キャップ本体のキャップ係止部に係止する係止部を前記容器本体に設ける構成を採用すればよい。具体的には、前記容器本体の係止部として係止突起を設け、前記キャップ本体の前記キャップ係止部として係止片を設ける構成が好適である。前記キャップを前記容器本体に被せて容器本体方向に押圧することにより、前記係止片が前記係止突起に当接した後、前記係止片が弾性変形することにより係止突起を乗り越え、前記係止片が前記係止突起を乗り越えた後、前記係止片が弾性復帰することにより両者を係止する構成が好適である。
【００６５】
上記容器において、前記カバーキャップに連動して前記キャップ本体を変位させるには、前記カバーキャップに連動する前記キャップ本体と前記容器本体とが当接することにより、前記キャップ本体を変位させる構成を採用すれば良く、具体的構成は特に限定されない。前記容器本体は、前記カバーキャップに連動する前記キャップ本体に当接して変位させる案内部を有する構成とするのが好ましい。
【００６６】
上記容器において、前記案内部は、前記キャップ本体の移動軌道上に位置して前記当接を開始する部分と、前記部分に連続的に形成され、前記部分よりも上下方向位置が上位となる上位部分とを有する構成が好ましい。とりわけ、前記案内部は、前記キャップ本体の移動軌道に沿って上下方向位置（高さ）が漸増する部分を有する構成にするのが好適である。より効果的にキャップの着脱容易性を大きく損なうことなく、チャイルドレジスタンス機能を達成するためには、前記容器本体は、前記付勢部の付勢力に抗してカバーキャップを下向きに押圧した状態において、前記カバーキャップに回転力が付与されると前記カバーキャップに連動する前記キャップ本体に当接して該キャップ本体を変位させる案内部を有し、前記キャップ本体が前記案内部に乗り上げることによって変位し、前記キャップ本体と前記容器本体との係止が解除されるものとするのが好適である。
【００６７】
上記容器において、前記容器本体の前記案内部は、第一案内部と、第二案内部とを有するのが好ましい。具体的は、前記キャップ本体を介して対向する一対の内側面を有する側壁を備える前記キャップカバーと、前記キャップカバーの一対の内側面に各々対向する一対の壁部を有するベース部を備える前記キャップ本体と、前記ベース部における前記一対の壁部のうち一方の壁部が当接して乗り上げる第一案内部と、前記一対の壁部のうち他方の壁部が当接して乗り上げる第二案内部とを備える容器が好適である。
【００６８】
上記容器において、より効果的にキャップの着脱容易性を大きく損なうことなく、チャイルドレジスタンス機能を達成するためには、前記容器本体は、前記キャップ本体に対して当接する規制部を有し、前記付勢部の付勢力に抗してカバーキャップを下向きに押圧した状態において、前記キャップ本体に回転力が付与されたとき、前記カバーキャップに対して第一の回転方向に回転力が付与されると前記カバーキャップに連動して変位し、前記キャップ本体と当該容器本体との係止が解除される一方、前記第一の回転方向とは逆方向の回転力が付与されたとき、前記キャップ本体が前記規制部に当接して変位せず、前記キャップ本体と当該容器本体との係止が解除されないものとするのが好適である。
【００６９】
上記容器において、前記規制部は、前記第一の回転方向とは逆方向の回転力が付与されたとき、前記規制部が前記キャップ本体に当接し、その変位を阻止できる構成であればよく、具体的構成は限定されない。例えば、前記容器本体は、前記キャップ本体のベース部の周壁部に対して内外方向に対向する前記規制部を有する構成とするのが好ましい。とりわけ、前記容器本体のショルダ部における突出部において、ベース部の周壁部に当接してキャップ本体の回転を阻止する規制面を設け、前記規制面を規制部とし、前記ベース部の前記容器本体への乗り上げを防止する構成が好適である。
【００７０】
上記容器において、カバーキャップが意図せず回転することを防止すること、ひいては容器の取り扱い性や意匠性が損なわれることを回避するためには、前記キャップ本体及び前記カバーキャップは、前記回転方向において一方が他方に当接し、前記カバーキャップの回転方向における前記カバーキャップの位置決めを行う位置決め部を有し、前記キャップ本体に対する前記カバーキャップの回転に伴い、前記キャップ本体及び前記カバーキャップの一方が他方に当接した後、少なくとも一方の弾性変形によって位置決めが解除されるものとするのが好適である。
【００７１】
上記容器において、前記位置決め部は、前記キャップ本体に対する前記カバーキャップの回転に伴い、前記キャップ本体及び前記カバーキャップの一方が他方に当接して位置決め効果を奏した後、前記カバーキャップの更なる回転に伴い、少なくとも一方の弾性変形によって位置決めが解除され、前記カバーキャップが回転可能となる構成であればよく、具体的構成は特に限定されない。前記付勢部の付勢力に抗してカバーキャップを下向きに押圧しない状態において、前記位置決め部は、前記キャップ本体に対する前記カバーキャップの回転に伴い、前記キャップ本体及び前記カバーキャップの一方が他方に当接した後、少なくとも一方の弾性変形によって位置決めが解除される構成が好ましい。
【００７２】
上記容器において、前記突出部を有する前記キャップ本体と、前記突出部に対して回転方向に対向する突出部を有する前記カバーキャップとを備え、前記カバーキャップに設けた前記突出部が前記キャップ本体に当接した後、前記キャップ本体及び前記カバーキャップの少なくとも一方が弾性変位する構成が好ましい。とりわけ、前記キャップ本体に設けた前記突出部をレール部とし、前記カバーキャップに設けた前記突出部をガイドリブとし、前記レール部が前記ガイドリブに当接した後、少なくとも前記レール部及び前記ガイドリブのいずれか一方が弾性変形する構成が好適である。なお、前述の位置決め部を第一の位置決め部といい、後述の位置決め部を第二の位置決め部ということがある。上記容器において、前記カバーキャップが意図せず回転することを防止すること、ひいては容器の取り扱い性や意匠性が損なわれることを回避するためには、前記付勢部の付勢力に抗してカバーキャップを下向きに押圧しない状態において、前記回転方向において一方が他方に当接し、前記カバーキャップの回転方向における前記カバーキャップの位置決めを行う位置決め部を有し、前記キャップ本体に対する前記カバーキャップの回転に伴い、前記キャップ本体及び前記カバーキャップの一方が他方に当接した後、前記カバーキャップが前記キャップ本体に乗り上げて位置決めが解除されるものとするのが好適である。
【００７３】
上記容器において、前記位置決め部は、前記付勢部の付勢力に抗してカバーキャップを下向きに押圧しない状態において、前記キャップ本体に対する前記カバーキャップの回転に伴い、前記キャップ本体及び前記カバーキャップの一方が他方に当接して位置決め効果を奏した後、前記カバーキャップが前記キャップ本体に乗り上げて位置決めが解除され、前記カバーキャップが回転可能となる構成であればよく、具体的構成は特に限定されない。例えば、前記キャップカバーは、前記キャップ本体の外側面と内外方向に対向する内側面を有し、前記回転に伴って前記外側面が前記内側面に当接した後、前記カバーキャップが前記キャップ本体に対して上方変位し、前記カバーキャップの下端部が前記キャップ本体に乗り上げることにより位置決めが解除され、前記カバーキャップが回転可能となる構成が好適である。かかる位置決め部を、第二の位置決め部ということがある。なお、前記キャップ本体の外側面は、前述のとおり、例えば、内側面及び外側面で構成される壁部に囲われた収容空間（容器本体の上側部分を収容する空間）を有するキャップ本体における前記壁部の外側面である。また、カバーキャップにおける前記キャップ本体の外側面と内外方向に対向する内側面は、前述のとおり、例えば、内側面及び外側面で構成される壁部に囲われた収容空間（キャップ本体の上側部分を収容する空間）を有するカバーキャップにおける壁部の内側面である。
【００７４】
上記容器において、容器の生産性の向上や生産コストの抑制の点から、前記カバーキャップは、その内側上部に天井面を有し、前記キャップ本体は、前記天井面に対向する上端面を有し、前記付勢部は、前記上端面又は前記天井面に一体に形成されて前記上端面と前記天井面との間に上下方向に圧縮された状態で介在する弾性撓み片とするのが好適である。なお、例えば、前記付勢部として、金属製のコイルスプリング等の付勢部材を設けても良い。
【００７５】
上記容器において、点眼薬や点鼻薬の容器として有用である点から、前記容器本体は、筒状口頸部と、ノズル口とを有し、前記キャップ本体は、前記ノズル口に挿入されて前記ノズル口を塞ぐ栓部を備えているものとするのが好適である。
【００７６】
上記容器において、容器本体を軽く圧迫して微量の薬液を抽出できる点から、前記容器本体および前記キャップは、偏平な断面略長方形又は楕円形とするのが好適である。
【００７７】
上記容器において、前記キャップ本体に対する前記キャップカバーの保持姿勢を可及的に維持するためには、上下方向に延びる突出片を有する前記キャップ本体と、前記突起片  外側方向に対向して位置すると共に上下方向に延びる突起片を有する前記カバーキャップとを備えるのが好ましい。とりわけ、前記キャップ本体に設けた上下方向に延びる突出片をレール部の突出片とし、前記カバーキャップに設けた上下方向に延びる突出片を天井壁の下面から垂下する係止片とするのが好適である。
【図１】
2017183213.tif 000003
【図２】
2017183213.tif 000004
【図３】
2017183213.tif 000005
【図４】
2017183213.tif 000006
【図５】
2017183213.tif 000007
【図６】
2017183213.tif 000008
【図７】
2017183213.tif 000009
【図８】
2017183213.tif 000010
【図９】
2017183213.tif 000011
【図１０】
2017183213.tif 000012
【図１１】
2017183213.tif 000013
【図１２】
2017183213.tif 000014
【図１３】
2017183213.tif 000015
【図１４】
2017183213.tif 000016
【国際調査報告】
2017183213.tif 000017
2017183213.tif 000018
2017183213.tif 000019
2017183213.tif 000020